(57)【特許請求の範囲】
【請求項１】
放射線画像を撮影する放射線画像撮影装置に対して放射線を照射して得られた散乱線補正用データを取得する散乱線補正用データ取得部と、
前記放射線画像撮影装置の有効画素領域の大きさを表す情報を取得する画素領域取得部と、
前記放射線画像撮影装置による撮影対象の撮影における放射線の撮影用曝射範囲を表す情報を取得する曝射範囲取得部と、
前記撮影対象の放射線画像を撮影して得られた画像データを取得する画像データ取得部と、
前記曝射範囲取得部が取得した情報が表す前記撮影用曝射範囲が、前記画素領域取得部が取得した情報が表す前記有効画素領域外を含む場合は、前記散乱線補正用データ取得部が取得した前記散乱線補正用データにより、前記画像データ取得部が取得した前記画像データを補正し、前記撮影用曝射範囲が、前記有効画素領域よりも小さい場合は、前記散乱線補正用データにより、前記画像データを補正しない補正部と、
を備えた画像処理装置。
【請求項２】
放射線画像を撮影する放射線画像撮影装置に対して放射線を照射して得られた散乱線補正用データを取得する散乱線補正用データ取得部と、
前記放射線画像撮影装置の有効画素領域の大きさを表す情報を取得する画素領域取得部と、
前記放射線画像撮影装置による撮影対象の撮影における放射線の撮影用曝射範囲を表す情報を取得する曝射範囲取得部と、
前記撮影対象の放射線画像を撮影して得られた画像データを取得する画像データ取得部と、
前記曝射範囲取得部が取得した情報が表す前記撮影用曝射範囲が、前記画素領域取得部が取得した情報が表す前記有効画素領域よりも大きい場合は、前記散乱線補正用データ取得部が取得した前記散乱線補正用データにより、前記画像データ取得部が取得した前記画像データを補正し、前記撮影用曝射範囲が、前記有効画素領域よりも小さい場合は、前記散乱線補正用データにより、前記画像データを補正しない補正部と、
を備えた画像処理装置。
【請求項３】
前記散乱線補正用データ取得部は、前記散乱線補正用データの取得において照射した放射線の補正用曝射範囲を表す情報をさらに取得し、
前記補正部は、前記画像データを補正する場合、前記補正用曝射範囲の大きさと、前記撮影用曝射範囲の大きさとに基づいて、前記散乱線補正用データにより前記画像データを補正する、
請求項１または請求項２に記載の画像処理装置。
【請求項４】
前記補正部は、前記補正用曝射範囲が、前記撮影用曝射範囲と同じ場合は、前記散乱線補正用データにより前記画像データを補正する、
請求項３に記載の画像処理装置。
【請求項５】
前記補正部は、前記補正用曝射範囲が、前記撮影用曝射範囲よりも大きい場合は、前記撮影用曝射範囲の大きさに応じて修正した前記散乱線補正用データにより、前記画像データを補正する、
請求項３または請求項４に記載の画像処理装置。
【請求項６】
前記補正部は、前記補正用曝射範囲が、前記撮影用曝射範囲よりも小さい場合は、所定の処理を行う、
請求項３から請求項５のいずれか１項に記載の画像処理装置。
【請求項７】
前記散乱線補正用データは、前記補正用曝射範囲の大きさに応じて複数種類有り、
前記補正部は、前記補正用曝射範囲の大きさに応じた種類の前記散乱線補正用データにより、前記画像データを補正する、
請求項３から請求項６のいずれか１項に記載の画像処理装置。
【請求項８】
前記散乱線補正用データは、前記放射線画像を撮影する撮影環境を表す撮影環境情報に応じて、複数種類有り、
前記補正部は、前記放射線画像を撮影したときの前記撮影環境情報に応じた種類の前記散乱線補正用データにより、前記放射線画像の前記画像データを補正する、
請求項１から請求項７のいずれか１項に記載の画像処理装置。
【請求項９】
放射線源と、コリメータとを備えた放射線照射装置と、
前記放射線照射装置から照射された放射線による放射線画像を撮影する放射線画像撮影装置と、
前記放射線画像撮影装置により撮影された放射線画像の画像データの画像処理を行う請求項１から請求項７のいずれか１項に記載の画像処理装置と、
を備えた放射線画像撮影システム。
【請求項１０】
散乱線補正用データ取得部により、放射線画像を撮影する放射線画像撮影装置に対して放射線を照射して得られた散乱線補正用データを取得し、
画素領域取得部により、前記放射線画像撮影装置の有効画素領域の大きさを表す情報を取得し、
曝射範囲取得部により、前記放射線画像撮影装置による撮影対象の撮影における放射線の撮影用曝射範囲を表す情報を取得し、
画像データ取得部により、前記撮影対象の放射線画像を撮影して得られた画像データを取得し、
補正部により、前記曝射範囲取得部が取得した情報が表す前記撮影用曝射範囲が、前記画素領域取得部が取得した情報が表す前記有効画素領域外を含む場合は、前記散乱線補正用データ取得部が取得した前記散乱線補正用データにより、前記画像データ取得部が取得した前記画像データを補正し、前記撮影用曝射範囲が、前記有効画素領域よりも小さい場合は、前記散乱線補正用データにより、前記画像データを補正しない、
画像処理方法。
【請求項１１】
散乱線補正用データ取得部により、放射線画像を撮影する放射線画像撮影装置に対して放射線を照射して得られた散乱線補正用データを取得し、
画素領域取得部により、前記放射線画像撮影装置の有効画素領域の大きさを表す情報を取得し、
曝射範囲取得部により、前記放射線画像撮影装置による撮影対象の撮影における放射線の撮影用曝射範囲を表す情報を取得し、
画像データ取得部により、前記撮影対象の放射線画像を撮影して得られた画像データを取得し、
補正部により、前記曝射範囲取得部が取得した情報が表す前記撮影用曝射範囲が、前記画素領域取得部が取得した情報が表す前記有効画素領域よりも大きい場合は、前記散乱線補正用データ取得部が取得した前記散乱線補正用データにより、前記画像データ取得部が取得した前記画像データを補正し、前記撮影用曝射範囲が、前記有効画素領域よりも小さい場合は、前記散乱線補正用データにより、前記画像データを補正しない、
画像処理方法。
【請求項１２】
放射線画像を撮影する放射線画像撮影装置に対して放射線を照射して得られた散乱線補正用データを取得し、
前記放射線画像撮影装置の有効画素領域の大きさを表す情報を取得し、
前記放射線画像撮影装置による撮影対象の撮影における放射線の撮影用曝射範囲を表す情報を取得し、
前記撮影対象の放射線画像を撮影して得られた画像データを取得し、
前記撮影用曝射範囲が、前記有効画素領域外を含む場合は、前記散乱線補正用データにより、前記画像データを補正し、前記撮影用曝射範囲が、前記有効画素領域よりも小さい場合は、前記散乱線補正用データにより、前記画像データを補正しない
ことを含む処理をコンピュータに実行させるための画像処理プログラム。
【請求項１３】
放射線画像を撮影する放射線画像撮影装置に対して放射線を照射して得られた散乱線補正用データを取得し、
前記放射線画像撮影装置の有効画素領域の大きさを表す情報を取得し、
前記放射線画像撮影装置による撮影対象の撮影における放射線の撮影用曝射範囲を表す情報を取得し、
前記撮影対象の放射線画像を撮影して得られた画像データを取得し、
前記撮影用曝射範囲が、前記有効画素領域よりも大きい場合は、前記散乱線補正用データにより、前記画像データを補正し、前記撮影用曝射範囲が、前記有効画素領域よりも小さい場合は、前記散乱線補正用データにより、前記画像データを補正しない
ことを含む処理をコンピュータに実行させるための画像処理プログラム。
【発明の詳細な説明】
【技術分野】
【０００１】
本発明は、画像処理装置、放射線画像撮影システム、画像処理方法、及び画像処理プログラムに関する。
【背景技術】
【０００２】
従来から、画素を含む放射線検出器を備えた放射線画像撮影装置により、放射線照射装置から照射されて撮影対象を透過した放射線を放射線検出器で検出することにより放射線画像を撮影することが行われている。
【０００３】
一般に、放射線画像の撮影では、放射線が撮影対象を透過することにより、散乱線が発生するため、撮影対象を透過した放射線には散乱線が含まれる。放射線に散乱線が含まれると、放射線画像のコントラストの低下やアーチファクトの発生等により、画質が低下する場合がある。
【０００４】
そのため、放射線画像に与える散乱線の影響を除去する技術が知られている（例えば、特許文献１、２参照）。
【先行技術文献】
【特許文献】
【０００５】
【特許文献１】特開２００５−３２１３３４号公報
【特許文献２】特開２０１４−２３６９１号公報
【発明の概要】
【発明が解決しようとする課題】
【０００６】
散乱線は、複数の要因に起因して発生する。放射線画像の撮影を行う場合、放射線画像撮影装置（放射線検出器）の放射線画像の撮影に寄与する画素の領域である有効画素領域外にも、放射線が照射される場合がある。このような場合、有効画素領域外に照射された放射線が放射線画像撮影装置（放射線検出器）の周囲で反射等して外部要因に起因する散乱線が発生する場合がある。そのため、外部要因に起因する散乱線の影響を取り除いて、放射線画像の画質を向上することが望まれている。
【０００７】
本発明は、散乱線の影響を取り除いて、放射線画像の画質を向上することができる、画像処理装置、放射線画像撮影システム、画像処理方法、及び画像処理プログラムを提供することを目的とする。
【課題を解決するための手段】
【０００８】
上記目的を達成するために、本発明の画像処理装置は、放射線画像を撮影する放射線画像撮影装置に対して放射線を照射して得られた散乱線補正用データを取得する散乱線補正用データ取得部と、放射線画像撮影装置の有効画素領域の大きさを表す情報を取得する画素領域取得部と、放射線画像撮影装置による撮影対象の撮影における放射線の撮影用曝射範囲を表す情報を取得する曝射範囲取得部と、撮影対象の放射線画像を撮影して得られた画像データを取得する画像データ取得部と、曝射範囲取得部が取得した情報が表す撮影用曝射範囲が、画素領域取得部が取得した情報が表す有効画素領域外を含む場合は、散乱線補正用データ取得部が取得した散乱線補正用データにより、画像データ取得部が取得した画像データを補正し、撮影用曝射範囲が、有効画素領域よりも小さい場合は、散乱線補正用データにより、画像データを補正しない補正部と、を備える。
【０００９】
また、本発明の画像処理装置は、放射線画像を撮影する放射線画像撮影装置に対して放射線を照射して得られた散乱線補正用データを取得する散乱線補正用データ取得部と、放射線画像撮影装置の有効画素領域の大きさを表す情報を取得する画素領域取得部と、放射線画像撮影装置による撮影対象の撮影における放射線の撮影用曝射範囲を表す情報を取得する曝射範囲取得部と、撮影対象の放射線画像を撮影して得られた画像データを取得する画像データ取得部と、曝射範囲取得部が取得した情報が表す撮影用曝射範囲が、画素領域取得部が取得した情報が表す有効画素領域よりも大きい場合は、散乱線補正用データ取得部が取得した散乱線補正用データにより、画像データ取得部が取得した画像データを補正し、撮影用曝射範囲が、有効画素領域よりも小さい場合は、散乱線補正用データにより、画像データを補正しない補正部と、を備える。
【００１１】
本発明の画像処理装置の散乱線補正用データ取得部は、散乱線補正用データの取得において照射した放射線の補正用曝射範囲を表す情報をさらに取得し、補正部は、画像データを補正する場合、補正用曝射範囲の大きさと、撮影用曝射範囲の大きさとに基づいて、散乱線補正用データにより画像データを補正してもよい。
【００１２】
本発明の画像処理装置の補正部は、補正用曝射範囲が、撮影用曝射範囲と同じ場合は、散乱線補正用データにより画像データを補正してもよい。
【００１３】
本発明の画像処理装置の補正部は、補正用曝射範囲が、撮影用曝射範囲よりも大きい場合は、撮影用曝射範囲の大きさに応じて修正した散乱線補正用データにより、画像データを補正してもよい。
【００１４】
本発明の画像処理装置の補正部は、補正用曝射範囲が、撮影用曝射範囲よりも小さい場合は、所定の処理を行ってもよい。
【００１５】
本発明の画像処理装置の散乱線補正用データは、補正用曝射範囲の大きさに応じて複数種類有り、補正部は、補正用曝射範囲の大きさに応じた種類の散乱線補正用データにより、画像データを補正してもよい。
【００１６】
本発明の画像処理装置の散乱線補正用データは、放射線画像を撮影する撮影環境を表す撮影環境情報に応じて、複数種類有り、補正部は、放射線画像を撮影したときの撮影環境情報に応じた種類の前記散乱線補正用データにより、放射線画像の画像データを補正してもよい。
【００１７】
また、本発明の放射線画像撮影システムは、放射線源と、コリメータとを備えた放射線照射装置と、放射線照射装置から照射された放射線による放射線画像を撮影する放射線画像撮影装置と、放射線画像撮影装置により撮影された放射線画像の画像データの画像処理を行う本発明の画像処理装置と、を備える。
【００１８】
また、本発明の画像処理方法は、散乱線補正用データ取得部により、放射線画像を撮影する放射線画像撮影装置に対して放射線を照射して得られた散乱線補正用データを取得し、画素領域取得部により、放射線画像撮影装置の有効画素領域の大きさを表す情報を取得し、曝射範囲取得部により、放射線画像撮影装置による撮影対象の撮影における放射線の撮影用曝射範囲を表す情報を取得し、画像データ取得部により、撮影対象の放射線画像を撮影して得られた画像データを取得し、補正部により、曝射範囲取得部が取得した情報が表す撮影用曝射範囲が、画素領域取得部が取得した情報が表す有効画素領域外を含む場合は、散乱線補正用データ取得部が取得した散乱線補正用データにより、画像データ取得部が取得した画像データを補正し、撮影用曝射範囲が、有効画素領域よりも小さい場合は、散乱線補正用データにより、画像データを補正しない。
【００１９】
また、本発明の画像処理方法は、散乱線補正用データ取得部により、放射線画像を撮影する放射線画像撮影装置に対して放射線を照射して得られた散乱線補正用データを取得し、画素領域取得部により、放射線画像撮影装置の有効画素領域の大きさを表す情報を取得し、曝射範囲取得部により、放射線画像撮影装置による撮影対象の撮影における放射線の撮影用曝射範囲を表す情報を取得し、画像データ取得部により、撮影対象の放射線画像を撮影して得られた画像データを取得し、補正部により、曝射範囲取得部が取得した情報が表す撮影用曝射範囲が、画素領域取得部が取得した情報が表す有効画素領域よりも大きい場合は、散乱線補正用データ取得部が取得した散乱線補正用データにより、画像データ取得部が取得した画像データを補正し、撮影用曝射範囲が、有効画素領域よりも小さい場合は、散乱線補正用データにより、画像データを補正しない。
【００２０】
また、本発明の画像処理プログラムは、放射線画像を撮影する放射線画像撮影装置に対して放射線を照射して得られた散乱線補正用データを取得し、放射線画像撮影装置の有効画素領域の大きさを表す情報を取得し、放射線画像撮影装置による撮影対象の撮影における放射線の撮影用曝射範囲を表す情報を取得し、撮影対象の放射線画像を撮影して得られた画像データを取得し、撮影用曝射範囲が、有効画素領域外を含む場合は、散乱線補正用データにより、画像データを補正し、撮影用曝射範囲が、有効画素領域よりも小さい場合は、散乱線補正用データにより、画像データを補正しないことを含む処理をコンピュータに実行させるためのものである。
【００２１】
また、本発明の画像処理プログラムは、放射線画像を撮影する放射線画像撮影装置に対して放射線を照射して得られた散乱線補正用データを取得し、放射線画像撮影装置の有効画素領域の大きさを表す情報を取得し、放射線画像撮影装置による撮影対象の撮影における放射線の撮影用曝射範囲を表す情報を取得し、撮影対象の放射線画像を撮影して得られた画像データを取得し、撮影用曝射範囲が、有効画素領域よりも大きい場合は、散乱線補正用データにより、画像データを補正し、撮影用曝射範囲が、有効画素領域よりも小さい場合は、散乱線補正用データにより、画像データを補正しないことを含む処理をコンピュータに実行させるためのものである。
【発明の効果】
【００２２】
本発明によれば、放射線画像の画質を向上することができる、という効果が得られる。
【図面の簡単な説明】
【００２３】
【図１】本実施の形態の放射線画像撮影システムの一例の全体構成の概略を示す概略構成図である。
【図２】本実施の形態の放射線画像撮影システムにおける放射線画像撮影装置、コンソール、放射線画像読影装置、及び放射線照射装置の一例の機能を説明するための概略構成を示す機能ブロック図である。
【図３】本実施の形態の放射線検出器の構成の一例を表す構成図である。
【図４】本実施の形態の放射線照射部の一例の要部構成を示す斜視図である。
【図５】放射線画像の撮影において発生する散乱線を説明するための説明図である。
【図６】本実施の形態のコンソールで実行される画像処理の一例のフローチャートである。
【図７】撮影用曝射範囲＜有効画素領域＜補正用曝射範囲の場合を説明するための説明図である。
【図８】撮影用曝射範囲＝補正用曝射範囲の場合を説明するための説明図である。
【図９】撮影用曝射範囲＞補正用曝射範囲の場合を説明するための説明図である。
【図１０】補正用曝射範囲＞撮影用曝射範囲＞有効画素領域の場合を説明するための説明図である。
【発明を実施するための形態】
【００２４】
以下、図面を参照して本発明の実施の形態を詳細に説明する。なお、本実施の形態は本発明を限定するものではない。
【００２５】
まず、本実施の形態の放射線画像撮影システム全体の概略構成について説明する。図１には、本実施の形態の放射線画像撮影システムの全体構成の一例の概略構成図を示す。
【００２６】
本実施の形態の放射線画像撮影システム１０は、コンソール１６を介して外部のシステム（例えば、ＲＩＳ：Radiology Information System）から入力された指示（撮影メニュー）に基づいて、医師や放射線技師等のユーザの操作により撮影対象の一例である被検者Ｗの放射線画像の撮影を行う機能を有している。
【００２７】
本実施の形態の放射線画像撮影システム１０は、放射線画像撮影装置１４、コンソール１６、放射線画像読影装置１８、及び放射線照射装置２０を備えている。
【００２８】
本実施の形態の放射線画像撮影システム１０では、放射線画像撮影装置１４により撮影された放射線画像の画像データに対して画像処理装置の一例であるコンソール１６が画像処理、特に、放射線画像の画像データから散乱線の影響を除去する補正処理を行う場合について説明する。なお、本実施の形態では、放射線画像の画像データから散乱線の影響を低減する場合についても影響の一部を除去しているため、「除去」という。
【００２９】
放射線照射装置２０は、コンソール１６の制御に基づいて、放射線Ｘを照射する機能を有している。被検者Ｗの放射線画像を撮影する場合、放射線照射装置２０は、撮影台１１の撮影面１２上の被検者Ｗの撮影対象部位に放射線Ｘを照射させる機能を有している。なお、放射線照射装置２０から放射線Ｘを照射する場合は、放射線画像撮影装置１４の有効画素領域（詳細後述）の中心と、照射野の中心とを合わせることが好ましい。そのため、例えば、放射線画像撮影装置１４に位置センサを設け、放射線照射部６２が放射線画像撮影装置１４の位置を把握し、中心位置が重なった場合に放射線Ｘの照射準備を行うようにしてもよい。
【００３０】
放射線画像撮影装置１４は、放射線検出器２８（図２、３参照）を有しており、放射線Ｘの線量に応じた電荷を発生し、発生した電荷量に基づいて放射線画像を撮影し、放射線画像の画像データを送信する機能を有している。本実施の形態では、具体例として放射線画像撮影装置１４として電子カセッテを用いており、例えば、放射線をデジタルデータに変換して出力するＤＲ（Digital Radiography）カセッテを用いている。
【００３１】
なお、図１では、放射線画像撮影装置１４は、撮影台１１の撮影面１２上に配置された状態を示している。
【００３２】
放射線画像撮影装置１４により撮影された放射線画像の画像データは、コンソール１６に出力される。本実施の形態のコンソール１６は、ＬＡＮ（Local Area Network）等の無線通信や有線通信を介して外部のシステム等から取得した撮影メニューや各種情報等を用いて、放射線画像撮影装置１４及び放射線照射装置２０の制御を行う機能を有している。また、本実施の形態のコンソール１６は、放射線画像撮影装置１４との間で放射線画像の画像データを含む各種情報の送受信を行う機能を有している。また、本実施の形態のコンソール１６は、放射線画像撮影装置１４から取得した放射線画像の画像データに対して画像処理、特に、放射線画像の画像データから散乱線の影響を除去する補正処理を行う機能を有している。さらに、本実施の形態のコンソール１６は、放射線画像撮影装置１４から取得した放射線画像の画像データや画像処理を行った画像データを放射線画像読影装置１８に送信する機能を有している。
【００３３】
放射線画像読影装置１８は、放射線画像の画像データをコンソール１６から受信して表示する機能を有している。放射線画像読影装置１８の具体例としては、ビューワ等が挙げられるが、特に限定されず、タブレット端末やスマートフォン等に代表される、いわゆるＰＤＡ（Personal Digital Assistance）である携帯情報端末装置であってもよい。
【００３４】
図２には、本実施の形態の放射線画像撮影システム１０における放射線画像撮影装置１４、コンソール１６、放射線画像読影装置１８、及び放射線照射装置２０の一例の機能を説明するための概略構成を示す機能ブロック図を示す。
【００３５】
本実施の形態のコンソール１６は、サーバー・コンピュータである。図２に示すように、コンソール１６は、制御部３０、記憶部３２、表示部駆動部３３、表示部３４、操作入力検出部３５、操作部３６、Ｉ／Ｏ（Input Output）部３７、及びＩ／Ｆ（Interface)部３８を備えている。制御部３０、記憶部３２、表示部駆動部３３、操作入力検出部３５、及びＩ／Ｏ部３７は、システムバスやコントロールバス等のバス３９を介して相互に情報等の授受が可能に接続されている。
【００３６】
本実施の形態の制御部３０は、散乱線補正用データ取得部、画素領域取得部、曝射範囲取得部、画像データ取得部、及び補正部の一例である。制御部３０は、コンソール１６全体の動作を制御する機能を有している。また、制御部３０は、放射線画像の画像データに対して散乱線の影響を除去する画像処理等を行う機能を有している。本実施の形態の制御部３０は、ＣＰＵ（Central Processing Unit）、ＲＯＭ（Read Only Memory）、ＲＡＭ（Random Access Memory）、及びＨＤＤ（Hard Disk Drive）を備えている。ＣＰＵは、コンソール１６全体の動作を制御する機能を有している。ＲＯＭには、ＣＰＵで使用される画像処理プログラムを含む各種プログラム等が予め記憶されている。ＲＡＭは、各種データを一時的に記憶する機能を有している。ＨＤＤは、各種データを記憶して保持する機能を有している。なお、ＨＤＤは、ＳＳＤ（Solid State Drive）であってもよく、また、記憶部３２と兼用してもよい。
【００３７】
表示部駆動部３３は、表示部３４への各種情報の表示を制御する機能を有している。本実施の形態の表示部３４は、撮影メニューや放射線画像等を表示する機能を有している。操作入力検出部３５は、操作部３６に対する操作状態や処理操作を検出する機能を有している。操作部３６は、放射線画像の撮影や画像処理等に関する指示を、ユーザが行うために用いられる。操作部３６は、一例としてキーボードやマウスの形態を有するものであってもよいし、表示部３４と一体化されたタッチパネルの形態を有するものであってもよい。また、操作部３６が、カメラを含み、このカメラにユーザのジェスチャーを認識させることにより各種指示を入力する形態を有するものであってもよい。
【００３８】
また、Ｉ／Ｏ部３７及びＩ／Ｆ部３８は、無線通信や有線通信により放射線画像撮影装置１４、放射線画像読影装置１８、放射線照射装置２０、ＲＩＳ等の外部のシステム、及びＰＡＣＳ（Picture Archiving and Communication System）等の外部のシステムとの間で各種情報の送受信を行う機能を有している。
【００３９】
記憶部３２は、放射線画像撮影装置１４から受信した放射線画像の画像データや散乱線補正用データ等、各種データを記憶する機能を有している。
【００４０】
また、本実施の形態の放射線画像読影装置１８は、読影制御部５０、記憶部５２、表示部駆動部５３、表示部５４、操作入力検出部５５、操作部５６、Ｉ／Ｏ部５７、及びＩ／Ｆ部５８を備えている。読影制御部５０、記憶部５２、表示部駆動部５３、操作入力検出部５５、及びＩ／Ｏ部５７は、システムバスやコントロールバス等のバス５９を介して相互に情報等の授受が可能に接続されている。
【００４１】
読影制御部５０は、放射線画像読影装置１８全体の動作を制御する機能を有している。読影制御部５０は、ＣＰＵ、ＲＯＭ、及びＲＡＭを備えている。ＣＰＵは、放射線画像読影装置１８全体の動作を制御する機能を有している。ＲＯＭには、ＣＰＵで使用される各種の処理プログラム等が予め記憶されている。ＲＡＭは、各種データを一時的に記憶する機能を有している。
【００４２】
表示部駆動部５３、表示部５４、操作入力検出部５５、及び操作部５６は、それぞれ、コンソール１６の表示部駆動部３３、表示部３４、操作入力検出部３５、及び操作部３６と同様の機能を有している。
【００４３】
Ｉ／Ｏ部５７及びＩ／Ｆ部５８は、電波による無線通信や光による光通信、及び有線通信等により、コンソール１６やＰＡＣＳとの間で各種情報の通信を行う機能を有している。
【００４４】
記憶部５２は、コンソール１６から受信した放射線画像を記憶する機能を有する。記憶部５２の具体例としては、不揮発性のメモリ等が挙げられる。
【００４５】
また、本実施の形態の放射線画像撮影装置１４は、撮影制御部２２、記憶部２４、Ｉ／Ｏ部２５、Ｉ／Ｆ部２６、放射線検出器２８、遮蔽板９７（図５参照）、及び電源１１０（図３参照）を備えている。撮影制御部２２、記憶部２４、Ｉ／Ｏ部２５、及び放射線検出器２８は、システムバスやコントロールバス等のバス２９を介して相互に情報等の授受が可能に接続されている。
【００４６】
撮影制御部２２は、放射線画像撮影装置１４全体の動作を制御する機能を有しており、ＣＰＵ、ＲＯＭ、及びＲＡＭを備えている。ＣＰＵは、放射線画像撮影装置１４全体の動作を制御する機能を有している。ＲＯＭには、ＣＰＵで使用される各種の処理プログラム等が予め記憶されている。ＲＡＭは、各種データを一時的に記憶する機能を有している。
【００４７】
記憶部２４は、放射線検出器２８により検出された放射線画像の画像データ等の各種データを記憶する機能を有している。
【００４８】
Ｉ／Ｏ部２５及びＩ／Ｆ部２６は、無線通信や有線通信によりコンソール１６との間で放射線画像の画像データを含む各種情報の送受信を行う機能を有している。
【００４９】
放射線検出器２８は、放射線Ｘの照射を受けて放射線画像の画像データを記録し、記録した画像データを出力するものであり、照射された放射線Ｘの線量に応じて発生した画素毎の電荷を画像データとして検出する。
【００５０】
図３には、本実施の形態の放射線検出器２８の構成の一例を表す構成図を示す。本実施の形態では、放射線Ｘを一旦光に変換し、変換した光を電荷に変換する間接変換方式の放射線検出器２８に本発明を適用した場合について説明する。なお、図３では、放射線Ｘを光に変換するシンチレータ９８（図５参照）は記載を省略している。
【００５１】
本実施の形態の放射線検出器２８は、ＴＦＴ（Thin Film Transistor）基板９０（図５参照）、シンチレータ９８（図５参照）、スキャン信号制御回路１０４、及び信号検出回路１０５を備えている。
【００５２】
放射線検出器２８は、光を受けて電荷を発生し、発生した電荷を蓄積するセンサ部１０３と、センサ部１０３に蓄積された電荷を読み出すためのスイッチ素子であるＴＦＴスイッチ７４と、を含む画素１００を有するＴＦＴ基板９０を備えている。本実施の形態では、シンチレータ９８（図５参照）によって変換された光が照射されることにより、センサ部１０３で、電荷が発生する。
【００５３】
画素１００は、一方向（図３のゲート配線方向）及びゲート配線方向に対する交差方向（図３の信号配線方向）にマトリクス状に複数配置されている。図３では、画素１００の配列を簡略化して示しているが、例えば、画素１００はゲート配線方向及び信号配線方向に１０２４個×１０２４個配置されている。
【００５４】
本実施の形態では、画素１００のうち、実際に放射線画像の撮影に寄与する画素１００により形成される領域を「有効画素領域」という。なお、有効画素領域は予め定められる領域であり、例えば、有効画素領域内に劣化や製造不良等により、電荷の蓄積、読み出しが行えなくなった画素１００等、放射線画像の撮影に寄与しない画素が含まれていても、無視するものとする。
【００５５】
ＴＦＴ基板９０には、必要に応じて光吸収性の低い絶縁性の材料により保護膜が形成されて、その表面に光吸収性の低い接着樹脂を用いて放射線変換層であるシンチレータ９８（図５参照）が貼り付けられる。または、真空蒸着法により、シンチレータ９８が形成される。シンチレータ９８としては、吸収可能な波長領域の光を発生できるような、比較的広範囲の波長領域を有した蛍光を発生するシンチレータが望ましい。このようなシンチレータ９８としては、ＣｓＩ：Ｎａ、ＣａＷＯ４、ＹＴａＯ４：Ｎｂ、ＢａＦＸ：Ｅｕ（ＸはＢｒまたはＣｌ）、または、ＬａＯＢｒ：Ｔｍ、及びＧＯＳ等がある。具体的には、放射線ＸとしてＸ線を用いて撮影する場合、ヨウ化セシウム（ＣｓＩ）を含むものが好ましく、Ｘ線照射による発光スペクトルが４００ｎｍ〜７００ｎｍにあるＣｓＩ：Ｔｌ（タリウムが添加されたヨウ化セシウム）やＣｓＩ：Ｎａを用いることが特に好ましい。なお、ＣｓＩ：Ｔｌの可視光域における発光ピーク波長は５６５ｎｍである。なお、シンチレータ９８としてＣｓＩを含むシンチレータを用いる場合、真空蒸着法で短冊状の柱状結晶構造として形成したものを用いることが好ましい。
【００５６】
また、放射線検出器２８には、ＴＦＴスイッチ７４をオン／オフするための複数のゲート配線１０１と、センサ部１０３に蓄積された電荷を読み出すための複数の信号配線７３と、が互いに交差して設けられている。
【００５７】
さらに、放射線検出器２８には、各信号配線７３と並列に共通電極配線９５が設けられている。センサ部１０３は共通電極配線９５に接続されており、共通電極配線９５を介して放射線画像撮影装置１４内の電源１１０からバイアス電圧が印加されている。
【００５８】
ゲート配線１０１には、各ＴＦＴスイッチ７４をスイッチングするための制御信号が流れる。このように制御信号が各ゲート配線１０１に流れることによって、各ＴＦＴスイッチ７４がスイッチングされる。
【００５９】
信号配線７３には、各画素１００のＴＦＴスイッチ７４のスイッチング状態に応じて、各画素１００に蓄積された電荷に応じた電気信号が流れる。
【００６０】
各信号配線７３には、各信号配線７３に流れ出した電気信号を検出する信号検出回路１０５が接続されている。また、各ゲート配線１０１には、各ゲート配線１０１にＴＦＴスイッチ７４をオン／オフするための制御信号を出力するスキャン信号制御回路１０４が接続されている。
【００６１】
信号検出回路１０５及びスキャン信号制御回路１０４は、撮影制御部２２に接続されている。撮影制御部２２は、信号検出回路１０５において変換されたデジタル信号に対してノイズ除去などの所定の処理を施すとともに、信号検出回路１０５に対して信号検出のタイミングを示す制御信号を出力し、スキャン信号制御回路１０４に対してスキャン信号の出力のタイミングを示す制御信号を出力する。
【００６２】
また、本実施の形態の放射線照射装置２０は、照射制御部６０、放射線照射部６２、Ｉ／Ｏ部６７、及びＩ／Ｆ部６８を備えている。また、放射線照射部６２は、コリメータ６４及び放射線源６６を備えている。照射制御部６０、放射線照射部６２、及びＩ／Ｏ部６７は、システムバスやコントロールバス等のバス６９を介して相互に情報等の授受が可能に接続されている。
【００６３】
Ｉ／Ｏ部６７及びＩ／Ｆ部６８は、無線通信や有線通信によりコンソール１６との間で放射線Ｘの照射に関する各種情報の送受信を行う機能を有している。
【００６４】
照射制御部６０は、放射線照射装置２０全体の動作を制御する機能を有しており、ＣＰＵ、ＲＯＭ、及びＲＡＭを備えている。ＣＰＵは、放射線照射装置２０全体の動作を制御する機能を有している。ＲＯＭには、ＣＰＵで使用される各種の処理プログラム等が予め記憶されている。ＲＡＭは、各種データを一時的に記憶する機能を有している。
【００６５】
照射制御部６０は、コンソール１６の制御に基づいて、放射線照射部６２のコリメータ６４を制御することにより、照射される放射線Ｘの照射野を制御する機能を有している。また、照射制御部６０は、コンソール１６の制御に基づいて、放射線照射部６２の放射線源６６から放射線Ｘを照射させる機能を有している。
【００６６】
図４には、本実施の形態の放射線照射部６２の一例の要部構成を示す斜視図を示す。本実施の形態では、具体例として、コリメータ６４が四枚羽コリメータである場合について説明する。
【００６７】
図４に示すように、コリメータ６４は、放射線源６６と放射線画像撮影装置１４との間に設けられ、４枚のスリット板（羽）６５Ａ、６５Ｂ、６５Ｃ、６５Ｄを含んでいる。各スリット板６５Ａ〜６５Ｄは、鉛やタングステン等の放射線Ｘを遮蔽する材料が用いられた、平面視矩形状の板状部材により構成されており、コリメータ６４では、スリット板６５Ａとスリット板６５Ｂとの一側面同士が対向し、かつスリット板６５Ｃとスリット板６５Ｄとの一側面同士が対向する。また、コリメータ６４では、各スリット板６５Ａ〜６５Ｄの対向する各々の側面により平面視矩形状の開口部６３が形成される。
【００６８】
本実施の形態の放射線照射部６２では、スリット板６５Ａ〜６５Ｄの各々は、図示を省略したモータ等を含む駆動部に応じて移動する。スリット板６５Ａ及びスリット板６５Ｂは図４のｘ方向に移動可能であるのに対し、スリット板６５Ｃ及びスリット板６５Ｄは上記ｘ方向とは交差する方向である図４のｙ方向に移動可能である。なお、本実施の形態のコリメータ６４では、各スリット板６５Ａ〜６５Ｄの移動可能な範囲が、対向配置されているスリット板同士の先端部が接触する状態、すなわち、開口部６３が全閉状態とされている状態から、開口部６３が平面視矩形状を保ち、かつ最大の面積となる状態までの範囲とされている。照射野の大きさは、開口部６３の大きさ（面積）に応じた大きさ（面積）となる。なお、本実施の形態において照射野の大きさとは、放射線画像撮影装置１４の放射線検出器２８の検出面（放射線Ｘが照射される面）と同等の位置における面積の大きさをいう。
【００６９】
次に、本実施の形態の放射線画像撮影システム１０のコンソール１６による、放射線画像の画像データに対して散乱線の影響を除去する画像処理について図面を参照して説明する。
【００７０】
まず、放射線画像の撮影において発生する散乱線について説明する。図５は、放射線画像の撮影において発生する散乱線を説明するための説明図である。図５では、撮影台１１の天板１１Ａの撮影面１２上と、被検者Ｗとの間に放射線画像撮影装置１４が配置される場合を示している。
【００７１】
放射線画像撮影装置１４は、上述した放射線検出器２８のＴＦＴ基板９０及びシンチレータ９８と、遮蔽板９７と、エレキ部９９と、を筐体内（図示省略）に備える。エレキ部９９は、撮影制御部２２や放射線検出器２８が有する信号検出回路１０５及びスキャン信号制御回路１０４等の回路を含んでいる。遮蔽板９７は、ＴＦＴ基板９０及びシンチレータ９８を透過した放射線Ｘがエレキ部９９に照射されるのを遮蔽するために設けられており、例えば、金属製の板等である。筐体としては、例えば、カーボン及びＭｇ等の金属製の枠を用いたものが使用される。
【００７２】
また、撮影台１１は、天板１１Ａと、収納部１３と、を備えている。天板１１Ａの材質としては、例えば、アクリル等が挙げられる。また、収納部１３は、放射線画像撮影装置１４を収納する機能を有している。なお、図５に示した状態では、上述のように、放射線画像撮影装置１４は、収納部１３に収納せず、天板１１Ａ上に配置して放射線画像の撮影を行う場合を示している。収納部１３の材質としては、例えば、金属等が挙げられる。
【００７３】
放射線Ｘを被検者Ｗに対して放射線照射装置２０から照射した場合、放射線画像撮影装置１４に入射する散乱線は、図５に示したように、散乱線Ａ、Ｂ、Ｃの３種類が挙げられる。
【００７４】
散乱線Ａは、被検者Ｗにより発生する散乱線である。散乱線Ｂは、放射線画像撮影装置１４に起因する散乱線である。散乱線Ｃは、撮影台１１などの周辺に存在する装置等の、撮影環境等、外部要因に起因する散乱線である。本実施の形態では、散乱線Ｃを他の種類の散乱線と区別するため「外部散乱線」という。
【００７５】
散乱線Ａに関しては、一般的に、散乱線を除去するためのグリッドを実際に用いて撮影したり、仮想グリッドを用いて放射線画像の画像データを画像処理したりすることにより散乱線Ａの影響を除去することが行われている。
【００７６】
また、散乱線Ｂに関しては、一般的に、放射線画像撮影装置１４、特に遮蔽板９７の材質を散乱線が発生しにくい材質とすることで散乱性を低減することが行われている。なお、金属では、一般的に、原子番号が高いほど、散乱線が発生しやすい。
【００７７】
ところで、技師等の撮影者は、例えば、小さい放射線画像撮影装置１４（電子カセッテ）を用いた場合や、放射線画像撮影装置１４の端部が撮影対象（被検者Ｗ）で隠れてしまう場合等を考慮して、照射野が狭すぎてしまったことによる放射線画像端部の欠陥による再撮影のリスク低減のため、有効画素領域以上に照射野を広げて放射線Ｘを照射する傾向にある。また、撮影者は、照射野を有効画素領域ぎりぎりまで絞るためには放射線源６６と放射線画像撮影装置１４（放射線検出器２８）との正確な位置合わせが必要であるため、有効画素領域以上に照射野を広げて放射線Ｘを照射する傾向にある。このように照射野を有効画素領域以上に広げた場合、外部散乱線（散乱線Ｃ）が発生しやすくなる。例えば、放射線画像撮影装置１４周辺に位置する撮影台１１、収納部１３、撮影台１１背後の床や壁等からの外部散乱線が放射線画像撮影装置１４（放射線検出器２８）に後方から回り込んで侵入してしまうリスクが高まる。また、放射線画像撮影装置１４の筐体は一般に金属製であるため、筐体からの外部散乱線が放射線画像撮影装置１４（放射線検出器２８）に後方から回り込んで侵入してしまうリスクが高まる。外部散乱線は、ひいては、放射線画像ヘコントラストの低下やアーチファクト等の影響を与えてしまう。
【００７８】
また、外部散乱線は、撮影位置（立位、臥位、フリー（回診含む）等）や撮影室等、撮影環境に由来する外部要因によって異なる場合が有るので、そのような要因も含めて、外部散乱線の影響を取り除くことが望まれている。
【００７９】
また、上述したように、最近、仮想グリッドを用いた撮影が注目されている。仮想グリッドを用いた撮影では、撮影対象である被検者Ｗ内の散乱線Ａを推定した上で放射線画像から除去するが、このような散乱線Ｂや外部散乱線による散乱線分も重畳された状態において、散乱線Ａであると判断した上で除去を行う。散乱線Ａによる散乱線分を正確に把握するためには、散乱線Ｂ及び外部散乱線による散乱線分との分離、特に外部散乱線による散乱線分との分離が必要となる。散乱線Ａによる散乱線分を正確に把握しておき、次撮影において活用することで、例えば、撮影室等の撮影環境（外部要因）が異なっていても撮影時間を短縮したいわゆる、スマート撮影が可能となる。
【００８０】
そのため、本実施の形態の放射線画像撮影システム１０のコンソール１６では、放射線画像の画像データから散乱線の影響を取り除くための画像処理を行う。
【００８１】
図６には、本実施の形態のコンソール１６で実行される画像処理の一例のフローチャートを示す。なお、本実施の形態の放射線画像撮影システム１０では、外部散乱線による影響を放射線画像から除去するための散乱線補正用データを、図６に示した画像処理の前に、予めコンソール１６が、取得しておく。散乱線補正用データの取得方法は特に限定されないが、例えば、被検者Ｗ等が存在しない状態で、放射線画像撮影装置１４に放射線照射装置２０から放射線Ｘを照射して得られた放射線画像の画像データに基づいて散乱線補正用データを生成することが挙げられる。
【００８２】
散乱線補正用データの取得における照射野である補正用曝射範囲の大きさ、より具体的には、放射線画像撮影装置１４の有効画素領域外となる補正用曝射範囲の大きさにより外部散乱線の発生量は異なる。そのため、本実施の形態において散乱線補正用データは、補正用曝射範囲の大きさ毎に、複数種類の散乱線補正用データが存在し、補正用曝射範囲の大きさに対応付けられて記憶部３２に記憶されている。なお、以下では、補正用曝射範囲の大きさを「補正用曝射範囲Ｓ１」と表し、有効画素領域の大きさを「有効画素領域Ｓ２」と表す。
【００８３】
また、本実施の形態では、さらに散乱線補正用データは、外部要因を考慮して撮影環境（撮影室、撮影台１１、及び撮影状態（臥位、立位、及びフリー等））毎に、複数種類の散乱線補正用データが存在し、撮影環境を表す撮影環境情報に対応付けられて記憶されている。さらに、本実施の形態では、散乱線は、放射線源６６の管電圧により発生量が異なるため、さらに散乱線補正用データは、放射線源６６の管電圧毎に複数種類の散乱線補正用データが存在し、管電圧に対応付けられて記憶されている。
【００８４】
すなわち、本実施の形態のコンソール１６では、記憶部３２に、予め複数の散乱線補正用データが、補正用曝射範囲Ｓ１と、撮影環境情報と、管電圧と、に対応付けられて記憶されている。
【００８５】
なお、このような散乱線補正用データは、コンソール１６内の記憶部３２に記憶しておくのではなく、外部のシステムに記憶しておいてもよい。また、被検者Ｗを撮影するコンソール１６とは別の、コンソールにより取得されたものを用いてもよい。
【００８６】
なお、散乱線補正用データの取得方法は上記方法に限定されず、例えば、被検者Ｗに相当するファントム等を配置した状態で取得するようにしてもよい。このように、ファントム等を配置することにより、被検者Ｗにより散乱し、撮影台１１（天板１１Ａ）等で反射した外部散乱線を考慮することができるため、好ましい。
【００８７】
このようにして散乱線補正用データが記憶部３２に記憶されている状態で、図６に示した画像処理がコンソール１６の制御部３０により実行される。
【００８８】
ステップＳ１００では、制御部３０が、Ｉ／Ｏ部３７及びＩ／Ｆ部３８を介して放射線画像撮影装置１４から放射線画像の画像データを取得する。コンソール１６の制御により、放射線照射装置２０から放射線Ｘが被検者Ｗに照射されて、放射線画像撮影装置１４により放射線画像が撮影されると、撮影された放射線画像の画像データをコンソール１６が取得する。なお、制御部３０がいずれから放射線画像の画像データを取得するかは特に限定されず、例えば、放射線画像撮影装置１４からではなく、ＰＡＣＳ等の外部のシステムから放射線画像の画像データを取得してもよい。
【００８９】
次のステップＳ１０２では、制御部３０が、放射線画像撮影装置１４の放射線検出器２８の有効画素領域Ｓ２及び撮影用曝射範囲の大きさ（以下、撮影用曝射範囲Ｓ３と表す）を表す情報を取得する。本実施の形態において撮影用曝射範囲Ｓ３とは、被検者Ｗの放射線画像の撮影における照射野の大きさのことである。有効画素領域Ｓ２は、放射線画像撮影装置１４毎に定められている。有効画素領域Ｓ２を表す情報については、制御部３０が、Ｉ／Ｏ部３７及びＩ／Ｆ部３８部を介して、撮影に使用した放射線画像撮影装置１４に応じてＲＩＳ等の外部のシステムから取得するようにしてもよいし、放射線画像撮影装置１４から取得するようにしてもよい。また、撮影用曝射範囲Ｓ３を表す情報については、制御部３０が、撮影メニューに含まれる場合は、撮影メニューから取得してもよいし、Ｉ／Ｏ部３７及びＩ／Ｆ部３８部を介して、ＲＩＳ等の外部のシステムや放射線照射装置２０から取得してもよい。また、撮影用曝射範囲Ｓ３は、放射線源６６の位置と放射線画像撮影装置１４の位置とから得られるＳＩＤ（Source Image Distance）と、コリメータ６４の開口部６３の開口率と、に応じて制御部３０が算出するようにしてもよい。
【００９０】
次のステップＳ１０４では、制御部３０が、撮影環境情報を取得する。撮影環境情報は、上述したように、外部散乱線を発生させる外部要因となる撮影環境を表す情報である。撮影環境情報については、制御部３０が、撮影メニューに含まれる場合は、撮影メニューから取得してもよいし、Ｉ／Ｏ部３７及びＩ／Ｆ部３８部を介して、ＲＩＳ等の外部のシステムから取得してもよい。
【００９１】
次のステップＳ１０６では、制御部３０が、有効画素領域Ｓ２、撮影用曝射範囲Ｓ３、及び撮影環境情報に基づいて、散乱線補正用データ及び補正用曝射範囲Ｓ１を記憶部３２から取得する。なお、本ステップでは、有効画素領域Ｓ２、撮影用曝射範囲Ｓ３、及び撮影環境情報に対応する、散乱線補正用データ及び補正用曝射範囲Ｓ１の組合せが複数ある場合は、複数組の散乱線補正用データ及び補正用曝射範囲Ｓ１を取得する。
【００９２】
次のステップＳ１０８では、制御部３０が、撮影用曝射範囲Ｓ３が有効画素領域Ｓ２よりも大きいか（撮影用曝射範囲Ｓ３＞有効画素領域Ｓ２）否かを判断する。撮影用曝射範囲Ｓ３が有効画素領域Ｓ２よりも大きくない場合、すなわち、撮影用曝射範囲Ｓ３が有効画素領域Ｓ２よりも小さい場合及び撮影用曝射範囲Ｓ３が有効画素領域Ｓ２と等しい場合は、ステップＳ１１０へ移行する。なお、本実施の形態において、補正用曝射範囲Ｓ１、有効画素領域Ｓ２、及び撮影用曝射範囲Ｓ３について、「等しい」とは、誤差範囲を含んで等しいことをいい、「大きい」とは、「等しい」場合よりも大きいことをいい、「小さい」とは、「等しい」場合よりも小さいことをいう。
【００９３】
ステップＳ１１０では、制御部３０は、放射線画像の画像データを補正せずに、本処理を終了する。撮影用曝射範囲Ｓ３が有効画素領域Ｓ２よりも小さい場合とは、例えば、図７に示すように、撮影用曝射範囲Ｓ３＜有効画素領域Ｓ２＜補正用曝射範囲Ｓ１の場合がある。また、例えば、有効画素領域Ｓ２＞補正用曝射範囲Ｓ１＞撮影用曝射範囲Ｓ３や、有効画素領域Ｓ２＞撮影用曝射範囲Ｓ３＞補正用曝射範囲Ｓ１の場合がある。撮影用曝射範囲Ｓ３＞補正用曝射範囲Ｓ１であればよく、補正用曝射範囲Ｓ１の大きさによらない。
【００９４】
撮影用曝射範囲Ｓ３が有効画素領域Ｓ２よりも小さい場合、有効画素領域外に放射線Ｘが照射されておらず、外部散乱線による影響が無い、若しくは少ないとみなせるため、本実施の形態では、散乱線補正用データによる画像データの補正を行わない。
【００９５】
一方、ステップＳ１０８において、撮影用曝射範囲Ｓ３が有効画素領域Ｓ２よりも大きい場合は、ステップＳ１１２へ移行する。
【００９６】
ステップＳ１１２では、制御部３０が、撮影用曝射範囲Ｓ３が補正用曝射範囲Ｓ１と等しい（撮影用曝射範囲Ｓ３＝補正用曝射範囲Ｓ１、図８参照）か否かを判断する。なお、取得した補正用曝射範囲Ｓ１が複数ある場合は、取得した複数の補正用曝射範囲Ｓ１の内に、撮影用曝射範囲Ｓ３と等しいものがあるか否かを判断する。撮影用曝射範囲Ｓ３が補正用曝射範囲Ｓ１と等しい場合は、ステップＳ１１４へ移行する。
【００９７】
ステップＳ１１４では、制御部３０が、撮影用曝射範囲Ｓ３＝補正用曝射範囲Ｓ１である補正用曝射範囲Ｓ１に対応する散乱線補正用データをそのまま用いて、放射線画像の画像データを補正した後、本処理を終了する。なお、本実施の形態では、補正した画像データは、記憶部３２に記憶しておく。
【００９８】
一方、ステップＳ１１２において、撮影用曝射範囲Ｓ３が補正用曝射範囲Ｓ１と等しくない場合は、ステップＳ１１６へ移行する。ステップＳ１１６では、制御部３０が、撮影用曝射範囲Ｓ３が補正用曝射範囲Ｓ１よりも大きい（撮影用曝射範囲Ｓ３＞補正用曝射範囲Ｓ１）か否かを判断する。なお、取得した補正用曝射範囲Ｓ１が複数ある場合は、取得した複数の補正用曝射範囲Ｓ１の内、最も大きい補正用曝射範囲Ｓ１について、撮影用曝射範囲Ｓ３が補正用曝射範囲Ｓ１よりも大きいか否かを判断する。撮影用曝射範囲Ｓ３が補正用曝射範囲Ｓ１よりも大きい場合は、ステップＳ１１８へ移行する。
【００９９】
撮影用曝射範囲Ｓ３が補正用曝射範囲Ｓ１よりも大きい場合とは、例えば、図９（１）に示すように、撮影用曝射範囲Ｓ３＞補正用曝射範囲Ｓ１＞有効画素領域Ｓ２の場合が有る。また例えば、図９（２）に示すように、撮影用曝射範囲Ｓ３＞有効画素領域Ｓ２＞補正用曝射範囲Ｓ１の場合がある。撮影用曝射範囲Ｓ３が補正用曝射範囲Ｓ１より大きい場合は、補正用曝射範囲Ｓ１に対応する散乱線補正用データにより放射線画像の画像データを補正しても、適切に補正できない懸念がある。
【０１００】
そのため、ステップＳ１１８では、制御部３０が、撮影用曝射範囲Ｓ３が補正用曝射範囲Ｓ１よりも大きい旨を表す情報を表示部３４によりユーザに対して報知し、所定の処理を行った後、本処理を終了する。所定の処理は、特に限定されない。例えば、撮影用曝射範囲Ｓ３が補正用曝射範囲Ｓ１よりも大きい場合は、撮影用曝射範囲Ｓ３にあわせた補正用曝射範囲Ｓ１とした状態で散乱線補正用データを新たに取得することが好ましい。そのため、新たに、散乱線補正用データを取得することを促す旨の情報を制御部３０が、表示部３４に表示させるようにしてもよい。また、例えば、撮影用曝射範囲Ｓ３が補正用曝射範囲Ｓ１よりも大きい場合は、撮影用曝射範囲Ｓ３を補正用曝射範囲Ｓ１に合わせて、被検者Ｗの撮影（再撮影）を行ってもよい。そのため、再撮影を行うことを促す旨の情報を制御部３０が、表示部３４に表示させるようにしてもよい。また例えば、このまま本処理を終了してもよい。また例えば、制御部３０は、撮影用曝射範囲Ｓ３に大きさが最も近い補正用曝射範囲Ｓ１を使用して放射線画像の画像データを補正するようにしてもよい。なお、このように補正を行った場合は、適切な補正が行われていない懸念があるため、制御部３０が、その旨を表す情報や、ユーザに確認を促すための情報を表示部３４に表示させることが好ましい。
【０１０１】
一方、ステップＳ１１６において、撮影用曝射範囲Ｓ３が補正用曝射範囲Ｓ１よりも小さい場合は、ステップＳ１２０へ移行する。
【０１０２】
撮影用曝射範囲Ｓ３が補正用曝射範囲Ｓ１よりも小さい場合とは、例えば、図１０に示すように、補正用曝射範囲Ｓ１＞撮影用曝射範囲Ｓ３＞有効画素領域Ｓ２の場合がある。
【０１０３】
ステップＳ１２０では、制御部３０は、補正用曝射範囲Ｓ１が撮影用曝射範囲Ｓ３よりも大きいため、撮影用曝射範囲Ｓ３の大きさに合わせて、補正用曝射範囲Ｓ１に対応する散乱線補正用データの修正、具体的には、散乱線補正用データを、撮影用曝射範囲Ｓ３の大きさに合わせて面積換算を行う。さらに、制御部３０は、面積換算した散乱線補正用データを用いて、放射線画像の画像データを補正した後、本処理を終了する。なお、補正用曝射範囲Ｓ１を複数取得した場合は、複数の補正用曝射範囲Ｓ１に対応する散乱線補正用データを用いて、面積換算を行うことが好ましい。面積換算の方法は特に限定されず、例えば、撮影用曝射範囲Ｓ３よりも大きい補正用曝射範囲Ｓ１に対応する散乱線補正用データと、小さい補正用曝射範囲Ｓ１に対応する散乱線補正用データとが有る場合は、両者の散乱線補正用データを用いて補間を行うことにより生成してもよい。
【０１０４】
なお、本実施の形態のコンソール１６では、図６に示した画像処理が行われた放射線画像の画像データに対して、その後、その他の画像処理等を行う。その他の画像処理としては、例えば、上述したように、散乱線Ａの影響を除去するための仮想グリッドを用いた放射線画像の画像データの補正等が挙げられる。
【０１０５】
このようにして補正された放射線画像の画像データは、コンソール１６の記憶部３２やＰＡＣＳ等の外部のシステムに記憶される。また、放射線画像の画像データは、ユーザの所望により、放射線画像読影装置１８に送信され、放射線画像読影装置１８の表示部５４に表示される。
【０１０６】
以上、説明したように本実施の形態の放射線画像撮影システム１０のコンソール１６では、予め外部散乱線の影響を除去するための散乱線補正用データを取得し、取得した散乱線補正用データと補正用曝射範囲Ｓ１とを対応付けて記憶部３２に記憶しておく。コンソール１６は、放射線照射装置２０から放射線Ｘを被検者Ｗに照射させて放射線画像撮影装置１４により撮影された放射線画像の画像データに対して、外部散乱線の影響を除去するための画像処理を行う。コンソール１６の制御部３０は、撮影用曝射範囲Ｓ３が有効画素領域Ｓ２よりも大きくない場合は、散乱線補正用データによる放射線画像の画像データの補正を行わない。また、制御部３０は、撮影用曝射範囲Ｓ３が有効画素領域Ｓ２よりも大きく、かつ撮影用曝射範囲Ｓ３が補正用曝射範囲Ｓ１と等しい場合は、散乱線補正用データをそのまま使用して放射線画像の画像データを補正する。また、制御部３０は、撮影用曝射範囲Ｓ３が有効画素領域Ｓ２よりも大きく、補正用曝射範囲Ｓ１よりも大きい場合は、その旨を表す報知処理及び所定の処理を行う。また、制御部３０は、撮影用曝射範囲Ｓ３が有効画素領域Ｓ２よりも大きく、補正用曝射範囲Ｓ１よりも小さい場合は、補正用曝射範囲Ｓ１に対応する散乱線補正用データを撮影用曝射範囲Ｓ３に合わせて面積換算し、面積換算した散乱線補正用データにより放射線画像の画像データを補正する。
【０１０７】
このように、本実施の形態の放射線画像撮影システム１０のコンソール１６では、撮影用曝射範囲Ｓ３と有効画素領域Ｓ２とにより、放射線画像の画像データの補正（外部散乱線による影響を除去する補正）を行うか否かを判断している。さらに、撮影用曝射範囲Ｓ３が有効画素領域Ｓ２よりも大きくない場合は、外部散乱線による影響が無い、もしくは少ないとみなせるため、放射線画像の画像データの補正を行わないので、画像処理に要する時間を短縮することができる。
【０１０８】
また、コンソール１６は、撮影用曝射範囲Ｓ３が有効画素領域Ｓ２よりも大きい場合は、撮影用曝射範囲Ｓ３及び補正用曝射範囲Ｓ１の大きさに応じて、散乱線補正用データにより放射線画像の画像データの補正を行う。
【０１０９】
従って、適切に、放射線画像の画像データから外部散乱線の影響を除去することができる。そのため、放射線画像のアーチファクト等の発生を抑制し、放射線画像の画質を向上させることができる。
【０１１０】
また、適切に、放射線画像の画像データから外部散乱線の影響を除去することができるため、仮想グリッドを用いて散乱線Ａの影響を除去する画像処理を行う場合に、外部散乱線の影響の除去後に仮想グリッドを用いた画像処理を行うことにより、適切に散乱線Ａの推定が行えるため、散乱線Ａによる影響を除去することができる。
【０１１１】
また、本実施の形態では、外部要因を考慮して撮影環境（撮影室、撮影台１１、及び撮影状態（臥位、立位、及びフリー等）の少なくとも一つ）毎に、複数種類の散乱線補正用データが存在し、コンソール１６の制御部３０は、取得した撮影環境情報に応じた散乱線補正用データを用いて、放射線画像の画像データを補正するため、より適切に、外部散乱線による影響を除去することができる。
【０１１２】
なお、上記実施の形態では、撮影用曝射範囲Ｓ３が有効画素領域Ｓ２よりも大きい場合に補正を行う場合について説明したがこれに限らない。例えば、撮影用曝射範囲Ｓ３と有効画素領域Ｓ２とが等しい場合であっても、撮影用曝射範囲Ｓ３の形状と有効画素領域Ｓ２の形状とが異なる場合や中心位置がずれている場合は、有効画素領域Ｓ２外が撮影用曝射範囲Ｓ３に含まれる場合がある。このような場合、有効画素領域Ｓ２外の部分において外部散乱線が発生する懸念があるため、散乱線補正用データにより、放射線画像の画像データを補正することが好ましい。このような場合は、有効画素領域Ｓ２外が撮影用曝射範囲Ｓ３に含まれるか否かにより、散乱線補正用データにより放射線画像の画像データを補正するか否かを判断すればよい。
【０１１３】
また、上記実施の形態では、画像処理のステップＳ１１２及びＳ１１６に優先して、ステップＳ１０８の処理を行う場合について説明したが、処理の優先順はこれに限らない。例えば、ステップＳ１０８の処理よりもステップＳ１１２の処理を優先してもよい。この場合、ステップＳ１１２の処理によって撮影用曝射範囲Ｓ３と有効画素領域Ｓ２とが等しいと判断された場合は、ステップＳ１１４の処理により画像データの補正を行う。さらに、撮影用曝射範囲Ｓ３と有効画素領域Ｓ２とが等しくない場合は、ステップＳ１０８の処理によって撮影用曝射範囲Ｓ３が有効画素領域Ｓ２よりも大きくないと判断された場合に、ステップＳ１１０の処理により画像データを補正しなければよい。
【０１１４】
また、上記実施の形態では、照射野が矩形状である場合について説明したがこれに限らない。照射野が円形状の場合であってもよい。また例えば、コリメータ６４として、マルチリーフコリメータを用いてもよい。
【０１１５】
また、上記実施の形態では、放射線画像撮影装置１４を、撮影台１１撮影面１２と被検者Ｗとの上に配置して放射線画像の撮影を行う場合について説明したが放射線画像撮影装置１４の配置は、これに限らない。例えば、収納部１３内に収納した状態で撮影を行ってもよい。また、上記実施の形態では、被写体Ｗが臥位である場合について説明したがこれに限らず、座位であってもよい。また例えば、回診車による放射線画像の撮影に適用してもよいことはいうまでもない。
【０１１６】
また、放射線画像撮影装置１４は、本実施の形態に限らない。例えば本実施の形態では、図５に示したように、放射線画像撮影装置１４がＴＦＴ基板９０側から放射線Ｘが照射される、いわゆる表面読取方式（ＩＳＳ（Irradiation Side Sampling）方式）である場合について説明したが、シンチレータ９８側から放射線Ｘが照射される、いわゆる裏面読取方式（ＰＳＳ（Penetration Side Sampling）方式）であってもよい。また、本実施の形態では、シンチレータ９８により放射線Ｘが光に変換され、変換された光により電荷を発生する間接型の放射線検出器２８を備える場合について説明したが、放射線Ｘにより電荷を発生する直接型の放射線検出器を備えていてもよい。
【０１１７】
また、上記実施の形態では、コンソール１６の制御部３０が、散乱線補正用データ取得部、画素領域取得部、曝射範囲取得部、画像データ取得部、及び補正部としての機能を有する場合について説明したがこれに限らない。例えば、放射線画像撮影装置１４の撮影制御部２２が有していてもよいし、放射線画像読影装置１８の読影制御部５０がこれら各機能部を有していてもよい。また、放射線画像撮影装置１４の撮影制御部２２、コンソール１６の制御部３０、及び放射線画像読影装置１８の読影制御部５０のうち２つ以上の装置が、一部の機能部を有するようにしてもよい。
【０１１８】
また、本実施の形態では、放射線画像撮影装置１４の撮影制御部２２、コンソール１６の制御部３０、放射線画像読影装置１８の読影制御部５０、及び放射線照射装置２０の照射制御部６０に格納される各種プログラムは、予め撮影制御部２２、制御部３０、読影制御部５０、及び照射制御部６０のＲＯＭにそれぞれ格納されているがこれに限らない。各種プログラムは、ＣＤ−ＲＯＭ（Compact Disk Read Only Memory）やリムーバブルディスク等の記録媒体等に記憶しておき、記録媒体からＲＯＭ等にインストールするようにしてもよい。また、各種プログラムは、インターネット等の通信回線を介して外部装置からＲＯＭ等にインストールするようにしてもよい。
【０１１９】
なお、撮影制御部２２、制御部３０、読影制御部５０、及び照射制御部６０の各々は、例えば半導体集積回路、より詳しくはＦＰＧＡ（Field Programmable Gate Array）やＡＳＩＣ（Application Specific Integrated Circuit）等であってもよい。
【０１２０】
また、放射線画像の撮影に用いられる放射線Ｘは、特に限定されるものではなく、Ｘ線やγ線等を適用することができる。
【０１２１】
その他、本実施の形態で説明した放射線画像撮影システム１０、放射線画像撮影装置１４、コンソール１６、及び放射線画像読影装置１８の構成及び動作は一例であり、本発明の主旨を逸脱しない範囲内において状況に応じて変更可能であることはいうまでもない。また、本実施の形態で説明した画像処理も一例であり、本発明の主旨を逸脱しない範囲内において状況に応じて変更可能であることはいうまでもない。
【符号の説明】
【０１２２】
１０  放射線画像撮影システム
１４  放射線画像撮影装置
１６  コンソール
１８  放射線画像読影装置
２０  放射線照射装置
３０  制御部
６４  コリメータ
６６  放射線源
【図１】
0006340329.tif 000002
【図２】
0006340329.tif 000003
【図３】
0006340329.tif 000004
【図４】
0006340329.tif 000005
【図５】
0006340329.tif 000006
【図６】
0006340329.tif 000007
【図７】
0006340329.tif 000008
【図８】
0006340329.tif 000009
【図９】
0006340329.tif 000010
【図１０】
0006340329.tif 000011